(57)【要約】【課題】被洗浄物を搬送する搬送手段を備えることなく、被洗浄物を洗浄液に浸漬し、洗浄液を振動させて被洗浄物を洗浄することができる洗浄装置を得る。【解決手段】コイン１が自重によって降下する洗浄路２が形成された洗浄部３と、洗浄部３の上側に設けられ、洗浄路２に水を供給して、水が洗浄路２を流下する給水管４と、洗浄部３の底板１０に取り付けられ、洗浄路２の振動面１３を振動させる振動子５とを備え、洗浄路２を降下するコイン１が浸漬されるように給水管４から洗浄路２に水が供給され、振動子５が洗浄路２の振動面１３を振動させることでコイン１を洗浄する。【選択図】図１
2010259979.tif 000002
【特許請求の範囲】
【請求項１】
被洗浄物が自重によって降下する洗浄路が形成された洗浄部と、
前記洗浄部に設けられ、前記洗浄路に洗浄液を供給して、前記洗浄液が前記洗浄路を流下する洗浄液供給手段と、
前記洗浄部に設けられ、前記洗浄路の振動面を振動させる振動子とを備え、
前記洗浄路を降下する前記被洗浄物が浸漬されるように前記洗浄液供給手段から前記洗浄路に前記洗浄液が供給され、前記振動子が前記洗浄路の前記振動面を振動させることで前記洗浄路の前記被洗浄物を洗浄することを特徴とする洗浄装置。
【請求項２】
前記洗浄路の下流側に設けられ、前記洗浄路を降下した前記被洗浄物を保持する保持手段と、
前記保持手段によって保持された前記被洗浄物を、所定の時間毎に、前記保持手段から排出する排出手段とをさらに備えたことを特徴とする請求項１に記載の洗浄装置。
【請求項３】
前記排出手段は、前記保持手段によって保持された最下段の前記被洗浄物を打撃して、前記保持手段から前記被洗浄物を突き飛ばす打撃部を有していることを特徴とする請求項２に記載の洗浄装置。
【請求項４】
前記排出手段は、回転することで、前記保持手段によって保持された最下段の前記被洗浄物に衝突して、前記保持手段から前記被洗浄物を押し出す回転体を有していることを特徴とする請求項２に記載の洗浄装置。
【請求項５】
前記洗浄路の下流側に設けられ、前記洗浄路を降下した前記被洗浄物を保持して、所定の時間毎に、前記被洗浄物を排出する保持排出手段をさらに備えたことを特徴とする請求項１に記載の洗浄装置。
【請求項６】
前記保持排出手段は、前記洗浄路の下流側に回転可能に設けられた第１の排出ローラを有し、
前記第１の排出ローラは、前記洗浄路を降下した前記被洗浄物を外周面で前記洗浄部とともに前記被洗浄物を挟持して、接触した前記被洗浄物が降下する方向に回転して、所定の時間毎に、前記被洗浄物を排出することを特徴とする請求項５に記載の洗浄装置。
【請求項７】
前記保持排出手段は、前記洗浄路の下流側に回転可能に設けられた第１の排出ローラと、この第１の排出ローラに対向して回転可能に設けられた第２の排出ローラとを有し、
前記第１の排出ローラおよび前記第２の排出ローラは、前記洗浄路を降下した前記被洗浄物を、それぞれの外周面で前記被洗浄物を挟持し、
前記第１の排出ローラおよび前記第２の排出ローラの少なくとも一方は、接触した前記被洗浄物が降下する方向に回転して、所定の時間毎に、前記被洗浄物を排出することを特徴とする請求項５に記載の洗浄装置。
【請求項８】
前記第１の排出ローラおよび前記第２の排出ローラは、外周部が、弾性を有するとともに、前記洗浄液を吸収可能な材料から構成されていることを特徴とする請求項７に記載の洗浄装置。
【請求項９】
前記被洗浄物は、電磁誘導加熱が可能な材料から構成されており、
前記洗浄路の下流側に設けられ、高周波磁界を発生して前記被洗浄物を電磁誘導加熱する加熱コイルをさらに備えたことを特徴とする請求項１ないし請求項７の何れか１項に記載の洗浄装置。
【請求項１０】
前記洗浄路の下流側であって前記加熱コイルより上流に設けられ、前記洗浄路を降下した前記被洗浄物と接触して、前記被洗浄物に付着した前記洗浄液を吸収する洗浄液吸収体をさらに備えことを特徴とする請求項９に記載の洗浄装置。
【請求項１１】
前記被洗浄物は平板形状に形成されており、
前記被洗浄物が供給される前記洗浄路の供給口は、短手方向の寸法が、前記被洗浄物の厚みより大きく、重ねられた２枚の前記被洗浄物の厚みより小さく形成されていることを特徴とする請求項１ないし請求項１０の何れか１項に記載の洗浄装置。
【請求項１２】
前記洗浄路の上方に設けられ、複数の前記被洗浄物を収容し、収容された前記被洗浄物を前記洗浄路へ供給する被洗浄物収容体と、
前記被洗浄物収容体と前記洗浄部との間に回転可能に設けられ、外周面が、前記被洗浄物収容体から前記洗浄路へ向かって移動する前記被洗浄物に接触する供給ローラとをさらに備え、
前記供給ローラは、接触した前記被洗浄物を上昇させる方向に回転することを特徴とする請求項１ないし請求項１１の何れか１項に記載の洗浄装置。
【発明の詳細な説明】
【技術分野】
【０００１】
この発明は、被洗浄物を洗浄液に浸漬し、洗浄液を振動させて被洗浄物を洗浄する洗浄装置に関する。
【背景技術】
【０００２】
従来、洗浄液を貯留し、薄板長尺物のリードフレームが洗浄液に浸漬される洗浄槽と、この洗浄槽内に配置され、リードフレームの表面に対向する超音波振動子と、洗浄槽内に配置され、リードフレームの裏面に対向する超音波反射板とを備えた洗浄装置が知られている（例えば、特許文献１参照）。
このものの場合、リードフレームを洗浄槽内の洗浄液に浸漬し、超音波振動子が放射する超音波によって洗浄液を振動させてリードフレームの表面を洗浄し、さらに、超音波反射板が反射した超音波によって洗浄液を振動させてリードフレームの裏面を洗浄する。
【先行技術文献】
【特許文献】
【０００３】
【特許文献１】特許第３２８８３１３号公報
【発明の概要】
【発明が解決しようとする課題】
【０００４】
しかしながら、このものの場合、被洗浄物を洗浄液に浸漬し、洗浄液を振動させて被洗浄物を洗浄するためには、リードフレームを洗浄槽に出し入れするための搬送手段が必要であり、洗浄装置が大型化してしまうという問題点があった。
【０００５】
この発明は、被洗浄物を洗浄槽に出し入れするための搬送手段を備えることなく、被洗浄物を洗浄液に浸漬し、洗浄液を振動させて被洗浄物を洗浄することができる洗浄装置を提供するものである。
【課題を解決するための手段】
【０００６】
この発明に係る洗浄装置は、被洗浄物が自重によって降下する洗浄路が形成された洗浄部と、前記洗浄部に設けられ、前記洗浄路に洗浄液を供給して、前記洗浄液が前記洗浄路を流下する洗浄液供給手段と、前記洗浄部に設けられ、前記洗浄路の振動面を振動させる振動子とを備え、前記洗浄路を降下する前記被洗浄物が浸漬されるように前記洗浄液供給手段から前記洗浄路に前記洗浄液が供給され、前記振動子が前記洗浄路の前記振動面を振動させることで前記洗浄路の前記被洗浄物を洗浄する。
【発明の効果】
【０００７】
この発明に係る洗浄装置によれば、洗浄路を降下する被洗浄物が浸漬されるように洗浄液供給手段から洗浄路に洗浄液が供給され、振動子が洗浄路の振動面を振動させることで洗浄路の洗浄液が振動するので、被洗浄物を洗浄槽に出し入れするための搬送手段を備えることなく、被洗浄物を洗浄液に浸漬し、洗浄液を振動させて被洗浄物を洗浄することができる。
【図面の簡単な説明】
【０００８】
【図１】この発明の実施の形態１に係る洗浄装置を示す側面図である。
【図２】図１の洗浄装置の要部を示す平面図である。
【図３】この発明の実施の形態２に係る洗浄装置の要部を示す側面図である。
【図４】この発明の実施の形態３に係る洗浄装置の要部を示す側面図である。
【図５】この発明の実施の形態４に係る洗浄装置の要部を示す側面図である。
【図６】この発明の実施の形態５に係る洗浄装置の要部を示す側面図である。
【図７】この発明の実施の形態６に係る洗浄装置の要部を示す正面図である。
【発明を実施するための形態】
【０００９】
以下、この発明の各実施の形態を図に基づいて説明するが、各図において、同一または相当の部材、部位については、同一符号を付して説明する。
実施の形態１．
図１はこの実施の形態に係る洗浄装置を示す側面図、図２は図１の洗浄装置の要部を示す平面図である。
この実施の形態に係る洗浄装置は、被洗浄物であるコイン１が自重によって降下する洗浄路２が形成された洗浄部３と、この洗浄部３の上部に取り付けられ、洗浄路２に洗浄液である水を供給する洗浄液供給手段である給水管４と、この給水管４より下側の洗浄部３に取り付けられた振動子５とを備えている。
給水管４から供給された水は、洗浄路２を流下する。
被洗浄物は、コイン１に限らず、例えば、パチンコ玉であってもよい。
洗浄液供給手段は、給水管４に限らず、給水路が形成されて、洗浄路２に水を供給できるものであればよい。
洗浄液は、水に限らず、コイン１を洗浄することができる液体であればよい。
【００１０】
洗浄路２の上方には、複数のコイン１を収容する被洗浄物収容体であるホッパ６が配置されている。このホッパ６は、脱水部筐体７に支持されており、洗浄部３とは構造的に分離されている。
なお、このホッパ６は、脱水部筐体７に限らず、例えば、この洗浄装置の筐体（図示せず）等、その他の部材に支持されてもよいが、ホッパ６およびその中に収容されているコイン１の重量が洗浄部３の振動を阻害する要因とならないように、ホッパ６が支持されることが望ましい。
ホッパ６に収容されたコイン１は、洗浄路２の上端部である供給口２ａを通って、洗浄路２へ供給される。
【００１１】
洗浄部３の下部には、洗浄部３の下端部を覆った脱水部筐体７が取り付けられており、この脱水部筐体７の下側には、洗浄後のコイン１が洗浄装置の外部に排出される排出管８と、洗浄路２から流れ出た水およびコイン１から分離した水を洗浄装置の外部に排出する排水管９と接続されている。
なお、洗浄後のコイン１を洗浄装置の外部に排出するものは、排出管８に限らず、その他のものであってもよい。
また、洗浄路２から流れ出た水を洗浄装置の外部に排出するものは、排水管９に限らず、その他のものであってもよい。
【００１２】
洗浄部３は、水平面に対して傾斜した底板１０と、この底板１０より上方であって底板１０に対向して配置された天板１１と、底板１０の両側端部から天板１１まで延び、互いに対向した一対の側板１２とを有しており、底板１０、天板１１および側板１２から、断面が四角の矩形路である洗浄路２が形成されている。
なお、底板１０、天板１１および一対の側板１２を有した洗浄部３に限らず、洗浄路２が貫通して形成された洗浄部３であればよい。
給水管４は、天板１１に接続されている。
【００１３】
振動子５は、圧電素子を金属体で挟持したランジュバン型の超音波振動子であり、洗浄部３の底板１０の下面側の面に面接触されて、ボルト、または、耐熱性エポキシ樹脂等の接着剤または充填剤を用いて固着されている。
なお、振動子５と底板１０との間に空隙があると、振動子５から底板１０への振動の伝達効率が低下して、伝達される振動の減衰が大きくなり、空隙に面した底板１０または振動子５からの発熱が増加する。
底板１０の上面側の面は、振動子５が振動することによって振動する振動面１３となっている。
振動子５は、高周波電源（図示せず）に接続されており、この高周波電源から供給される高周波電流によって振動して、洗浄部３の底板１０を振動させて、振動面１３が振動する。
【００１４】
ホッパ６と洗浄部３との間であって、天板１１側には、供給口２ａに隣接して、円柱形状の供給ローラ１４が回転可能に配置されており、この供給ローラ１４は、ホッパ６に支持されている。
なお、この供給ローラ１４は、ホッパ６に限らず、その他の部材に支持されてもよい。
また、供給ローラ１４は、天板１１側に限らず、底板１０側または側板１２側に取り付けられてもよい。
供給ローラ１４の外周面と底板１０の上面との間の距離は、１枚のコイン１の厚みより大きく、重ねられた２枚のコイン１の厚みより小さくなっている。
供給口２ａは、短手方向の寸法である底板１０の上面と天板１１の下面との間の距離が、１枚のコイン１の厚みより大きく、重ねられた２枚のコイン１の厚みより小さく形成されている。
供給ローラ１４は、供給ローラ回転軸１５を介して供給ローラモータ１６に連結されており、この供給ローラモータ１６の駆動によって、供給ローラ１４は、供給ローラ１４に接触したコイン１を上昇させる方向、つまり、図１の矢印Ａの方向に回転する。
【００１５】
底板１０の上面側には、上端部がホッパ６に隣接し、底板１０の長手方向に延びたワイヤ形状の案内レール１７が２本設けられている。
それぞれの案内レール１７は、底板１０または天板１１から延びた支持部材（図示せず）により支持されている。
また、それぞれの案内レール１７は、コイン１が底板１０上を３列に並んで降下するように、底板１０の短手方向に並べられている。
なお、コイン１は、３列に限らず、その他の数の列であってもよい。例えば、コイン１が１列の場合には、案内レール１７は必要ない。
【００１６】
洗浄部３の下端部は、底板１０の上面が露出するように、天板１１が切り取られている。
洗浄部３の下端部における底板１０の領域（天板１１が無く、上面が露出した領域）は、網形状に形成された排水部１０ａとなっており、洗浄路２を流下した水は、排水部１０ａから落下する。
これにより、洗浄路２を降下したコイン１は、排水部１０ａに支持され、洗浄路２を流下した水は、排水部１０ａから脱水部筐体７の底面に向かって落下する。
脱水部筐体７の底面に向かって落下した水は、排水管９を通って、この洗浄装置の外部に排出される。
【００１７】
供給口２ａの近傍の洗浄路２には、排水口（図示せず）が形成され、この排水口からの水は図示しない排水路によって最終的に排水管９へ合流するようになっている。
給水管４から洗浄路２の供給される水の量は、洗浄路２の下端部から排出される水の量と排水口から排出される水の量とを合わせた量となっている。
そのため、洗浄路２を降下するコイン１の数量の変化に伴って洗浄路２を流下する水の量が変動した場合であっても、排水口から排出される水の量が増減されるので、給水管４から供給される水の量が一定であっても、洗浄路２の水面１８は維持される。
なお、給水管４から供給される水の量をバルブの開度の調節（開／閉調節を含む）、または、後述するポンプの回転数を直接制御することで、洗浄路２内の水面１８を一層確実に維持してもよい。
これにより、洗浄路２の水面１８が一定となっており、供給口２ａの近傍から天板１１の下端部までの洗浄路２の領域は、常に水が満たされた状態となっている。
したがって、供給口２ａの近傍から天板１１の下端部までの洗浄路２の領域では、コイン１が水に浸漬され、振動面１３も水に浸漬される。
【００１８】
排水管９と給水管４とは、接続管（図示せず）によって接続されており、この接続管には、排水管９から給水管４へ向かって水を送り出すポンプ（図示せず）と、この接続管を通過する水に含まれる異物を除去するフィルタ（図示せず）とが取り付けられている。
これにより、排水管９によって排出された水は、循環して、給水管４に供給される。
なお、排水管９から排出された水を循環させずに、給水管４に、常に新しい水を供給してもよい。
この場合、水の使用量は増えるものの、水を循環させるのに必要な動力を削減することができ、また、水を循環させて再利用することによって生じる、コイン１への異物の再付着を抑制することができ、コイン１の洗浄効果を向上させることができる。
【００１９】
底板１０と天板１１との間の距離は、コイン１の厚みより少し厚く、数ｍｍ程度となっており、振動子５の振動周波数が２０ｋＨｚの場合、水を通過する波は、波長が約７．５ｃｍ（水中の音速を１５００ｍ／ｓとした場合）であるので、底板１０と天板１１との間の水には、振動定在波は形成されない。
本願発明者は、このように、振動定在波を形成できない状態とすることで、コイン１を効果的に洗浄することができることを見出した。
これにより、振動面１３の近傍に発生するキャビテーション（減圧によって水中に水蒸気または真空を内包した泡が生じる現象）の泡が破裂する際の衝撃と、キャビテーションによる泡が振動面の垂直方向に生じる音響直進流によって運ばれることとが、主な要因となって、洗浄路２を降下するコイン１の表面を効果的に洗浄することができる。
また、洗浄路２では、振動面１３から水を介してコイン１へ振動が伝達されて、コイン１自体も振動するので、コイン１の振動面１３に対向した面だけでなく、コイン１の天板１１に対向した面も洗浄される。
【００２０】
洗浄路２の下流側である排水部１０ａの下端部には、洗浄路２を下降したコイン１を保持する保持手段である保持板１９が取り付けられている。
案内レール１７の下端部は、保持板１９の近傍まで延びている。なお、案内レール１７の下端部と保持板１９とを接続してもよい。
洗浄路２にコイン１を連続して降下させた場合に、最下段にあるコイン１が保持板１９によって保持されるので、複数のコイン１が洗浄路２内で、互いに接触して並べられる。
これにより、水が充満された、供給口２ａの近傍から天板１１の下端部の近傍までの洗浄路２の領域にも、コイン１が並べられる。
【００２１】
排水部１０ａの下面側には、保持板１９によって保持された最下段のコイン１を、保持板１９から排出する排出手段が設けられている。
排出手段は、保持板１９によって保持された最下段のコイン１に向かって進退可能な打撃部２０と、脱水部筐体７に固定され、打撃用スプリング２１を介して打撃部２０を支持した円柱形状の打撃用スプリング固定部２２とを有している。
排水部１０ａには、打撃部２０が通過可能な貫通孔（図示せず）が形成されている。
打撃部２０は、コップ形状に形成されており、底部が底板１０側を向くように配置されている。
打撃用スプリング２１および打撃用スプリング固定部２２は、打撃部２０の内部に挿入されている。
打撃部２０は、底板１０側の端部に、反動スプリング２３を有しており、打撃部２０が、保持板１９によって保持された最下段のコイン１を打撃する際には、反動スプリング２３が、保持板１９によって保持された最下段のコイン１に接触する。
【００２２】
打撃部２０の外側には、回転可能な打撃駆動ギヤ２４が、打撃部２０に接触可能に設けられている。
この打撃駆動ギヤ２４は、円筒形状に形成されており、周縁部には、軸線方向に沿って切り取られた平面部２４ａが形成されている。
打撃駆動ギヤ２４は、打撃駆動軸２５を介して打撃駆動モータ２６に連結されており、この打撃駆動モータ２６の駆動によって、打撃駆動ギヤ２４は、打撃駆動ギヤ２４に接触した打撃部２０が保持板１９から離間する方向、つまり、図１の矢印Ｂの方向に回転する。
打撃駆動ギヤ２４、打撃駆動軸２５および打撃駆動モータ２６は、支持手段（図示せず）を介して脱水部筐体７に支持されている。
なお、打撃駆動ギヤ２４、打撃駆動軸２５および打撃駆動モータ２６は、脱水部筐体７に限らず、その他の部材に支持されてもよい。
打撃部２０の打撃駆動ギヤ２４側の面には、打撃駆動ギヤ２４と歯合可能な打撃部ギヤ２７が取り付けられている。
打撃駆動ギヤ２４が打撃部ギヤ２７に歯合しているときには、打撃駆動ギヤ２４が回転することで、打撃部２０は、打撃用スプリング２１の弾性力に逆らって、保持板１９に保持された最下段のコイン１から離間する方向に移動する。
一方、打撃駆動ギヤ２４の平面部２４ａが打撃部ギヤ２７に対向したときは、打撃駆動ギヤ２４と打撃部ギヤ２７とが歯合せず、打撃部２０が、保持板１９に保持された最下段のコイン１と接触する方向へ、打撃用スプリング２１の弾性力によって移動する。
これにより、打撃駆動ギヤ２４が打撃部ギヤ２７に歯合した状態で、打撃駆動ギヤ２４が回転し、打撃用スプリング２１の弾性力に逆らって、打撃部２０が、保持板１９に保持された最下段のコイン１から離間した後、打撃駆動ギヤ２４がさらに回転して、打撃駆動ギヤ２４の平面部２４ａが打撃部ギヤ２７に対向することで、打撃部２０は、打撃用スプリング２１の弾性力によって、保持板１９に保持された最下段のコイン１を打撃して、コイン１が保持板１９から突き飛ばされる。
打撃部２０が、保持板１９に保持された最下段のコイン１を打撃した後、再び、打撃駆動ギヤ２４が回転して、打撃駆動ギヤ２４が打撃部ギヤ２７に歯合したときには、打撃部２０は、再び、打撃用スプリング２１の弾性力に逆らって、保持板１９に保持された最下段のコイン１から離間する。
このようにして、打撃部２０が、所定の時間毎に、保持板１９に保持されたコイン１を打撃して、コイン１が保持板１９から突き飛ばされる。
打撃駆動ギヤ２４の回転速度を調節することで、コイン１が保持板１９から排出されるタイミングを調節することができる。
なお、洗浄路２には、コイン１が３列に並べられるので、保持板１９によって保持された最下段のコイン１に向かって進退可能な打撃部２０が、３個並べられている。
それぞれの打撃部２０は、１つの打撃駆動ギヤ２４の回転によって、保持板１９によって保持された最下段のコイン１に向かって進退するが、打撃駆動ギヤ２４の平面部２４ａの位置を調節して、それぞれの打撃部２０の移動の位相が１２０度ずれるようになっている。
これにより、打撃駆動軸２５の回転トルク変動を軽減することができ、打撃駆動モータ２６を長寿命化することができる。
なお、打撃駆動ギヤ２４の平面部２４ａの位置は、打撃部２０毎に調節しなくてもよい。
また、打撃部２０が貫通する開口部を脱水部筐体７に形成し、打撃用スプリング２１、打撃用スプリング固定部２２、打撃駆動ギヤ２４、打撃駆動軸２５および打撃駆動モータ２６等を脱水部筐体７の外側に設けてもよい。このものの場合、水による各部材の腐食等の発生を抑制することができる。
【００２３】
脱水部筐体７には、打撃部２０によって打撃されたコイン１が衝突する衝突板７ａが取り付けられている。
打撃部２０は、保持板１９によって保持されているコイン１の偏心位置を打撃するようになっており、打撃部２０によって打撃されたコイン１は、自転しながら衝突板７ａに向かって飛ぶ。
脱水部筐体７の内部であって、衝突板７ａの下方には、網形状の中底体２８が取り付けられており、衝突板７ａに衝突して落下したコイン１は、中底体２８へ落下してさらに脱水されて、排出管８へ移動する。
衝突板７ａは、コイン１の衝突によって消耗するので、脱水部筐体７から着脱可能となっており、新しい衝突板７ａと交換可能となっている。
【００２４】
排出管８には、温風をコイン１に当てて、コイン１を乾燥する乾燥装置（図示せず）が取り付けられている。
なお、乾燥装置は、温風をコイン１に当てることでコイン１を乾燥するものに限らず、例えば、コイン１に電磁誘導加熱をして、コイン１を乾燥するものであってもよい。電磁誘導加熱の方が、温風を用いた場合よりも、エネルギー効率が高く、短時間でコイン１を乾燥することができる。
【００２５】
次に、この実施の形態に係る洗浄装置の動作について説明する。
まず、給水管４から洗浄路２に水が供給されて、供給口２ａの近傍から、天板１１の下端部の近傍までの洗浄路２は、常に水が充満される。
次に、振動子５によって、底板１０の振動面１３を振動させる。
この状態で、ホッパ６から、供給口２ａを通って、洗浄路２にコイン１が供給される。
洗浄路２に供給されたコイン１は、自重によって洗浄路２を降下し、振動子５が振動することによって振動面１３の近傍の水中に生成されるキャビテーションの泡が、音響直進流によって運ばれてコイン１に衝突することによって、コイン１が洗浄される。
また、音響直進流による水流または音圧によって、さらに、キャビテーションの泡が破裂する際に生じる衝撃によってもコイン１が洗浄される。
洗浄路２を降下したコイン１は、洗浄路２の下端部で、保持板１９に保持される。
保持板１９に保持されたコイン１は、打撃部２０による打撃によって飛ばされるとともに脱水され、さらに、打撃部２０に偏心位置を打撃されることによって発生する、コイン１の自転によってさらに脱水される。
また、打撃されたコイン１は、衝突板７ａによる衝突によってさらに脱水される。
コイン１から分離した水は、脱水部筐体７の内壁等に付着し、脱水部筐体７の内壁に形成された排水溝７ｂ等を通って、排水管９へ流れる。
脱水されたコイン１は、排出管８を通り、乾燥装置によって乾燥された後、洗浄装置の外部へ排出される。
【００２６】
以上説明したように、この実施の形態に係る洗浄装置によれば、洗浄路２を降下するコイン１が浸漬されるように給水管４から洗浄路２に水が供給され、振動子５が洗浄路２の振動面１３を振動させることで、洗浄路２の水が振動するので、コイン１を搬送する搬送手段を備えることなく、コイン１を水に浸漬し、水を振動させてコイン１を洗浄することができ、洗浄装置の小型化および軽量化を図ることができる。
また、洗浄槽を備える必要がないので、洗浄装置の小型化および軽量化をさらに図ることができる。
また、洗浄路２を水が流下するので、コイン１から分離した異物が洗浄路２に付着することが抑制され、異物によって洗浄路２を降下するコイン１がせき止められることを抑制することができ、また、コイン１への異物の再付着を抑制することができる。
また、洗浄路２の振動面１３が振動するので、コイン１から分離した異物が洗浄路２に付着することをさらに抑制することができ、また、コイン１自体の振動面１３への固着も抑制することができる。
また、洗浄路２を降下するコイン１がせき止められることが抑制されるので、複数のコイン１を順次連続して、洗浄することができる。
【００２７】
また、保持板１９が、洗浄路２を下降したコイン１を保持し、打撃部２０が、所定の時間毎に、保持板１９に保持されたコイン１を保持板１９から排出するので、洗浄路２におけるコイン１の滞留時間を調節することができる。
これにより、洗浄装置を大きくすることなく、コイン１の洗浄時間を長くすることができる。
また、洗浄路２の最下段にあるコイン１が保持板１９に保持され、複数のコイン１を連接させて、洗浄路２内へのコイン１の収納密度を高くしてコイン１を洗浄するので、洗浄装置を大きくすることなく、コイン１を洗浄することができる。
【００２８】
また、打撃部２０が、保持板１９に保持されたコイン１を打撃して、保持板１９からコイン１を突き飛ばすので、洗浄部３からコイン１を排出するとともに、コイン１を脱水することができる。
【００２９】
また、洗浄路２の供給口２ａは、短手方向の寸法が、１枚のコイン１の厚みより大きく、重ねられた２枚のコイン１の厚みより小さく形成されているので、コイン１が重ならず、確実に洗浄路２へ供給することができ、洗浄路２でのコイン１の洗浄および降下をより確実に行うことができる。
【００３０】
また、ホッパ６と洗浄部３との間に、供給ローラ１４が配置され、この供給ローラ１４は、接触したコイン１を上昇させる方向に回転するので、ホッパ６内および供給口２ａ付近でのコイン１の詰まりを抑制することができ、コイン１を洗浄路２へ確実に供給させることができる。
【００３１】
なお、この実施の形態では、洗浄部３を傾斜させているが、垂直に立ててもよい。
この場合、振動面１３にコイン１の重量が直接かかり難くなるので、振動面１３がより振動し易くなり、少ない動力で振動面１３を振動させることができる。
【００３２】
また、この実施の形態では、直線的な洗浄路２が形成された洗浄部３について説明したが、曲線的な洗浄路２が形成された洗浄部３であってもよい。
例えば、上流側が垂直となり下流側が水平となる洗浄路２が形成された洗浄部３であってもよい。この場合、コイン１の下降距離が同じであって、傾斜された直線的な洗浄路２が形成された洗浄部３と比較して、下流側でのコイン１の速度を遅くすることができるので、コイン１を洗浄路２に供給し始めた直後であっても、保持板１９が確実にコイン１を保持することができる。
【００３３】
また、この実施の形態では、保持手段として、保持板１９を例に説明したが、勿論このものに限らず、コイン１の排出を一旦妨害することができるものであればよい。
例えば、コイン１の円盤の直径より短い間隔をあけて底板１０に立てられた２本の棒であってもよい。
この場合、この２本の棒の間より小さい異物は、この２本の棒によって保持されないので、コイン１を保持するとともに、異物とコイン１とを選別することができる。
【００３４】
また、この実施の形態では、打撃駆動ギヤ２４の駆動によって底板１０から離間し、打撃用スプリング２１の弾性力によって保持板１９に保持された最下段のコイン１を打撃する打撃部２０について説明したが、勿論このものに限らず、保持板１９に保持された最下段のコイン１を打撃して排出することができるものであれば、その他のものであってもよい。
【００３５】
また、この実施の形態では、保持板１９に保持された最下段のコイン１の偏心位置を打撃する打撃部２０について説明したが、保持板１９に保持された最下段のコイン１の中心位置を打撃する打撃部２０であってもよい。
この場合、コイン１の自転が低減され、コイン１の自転による脱水効果が低減されるので、コイン１が自転する場合と比べて、コイン１の部位による脱水斑は大きくなるものの、脱水できないわけではない。
また、コイン１の衝突板７ａへの衝突により、コイン１を自転させるようにすることも可能であり、コイン１の偏心位置を打撃することが必要であるとは限らない。
【００３６】
また、この実施の形態では、コイン１の表面または裏面の何れか一方を打撃する打撃部２０について説明したが、コイン１の外周面を打撃する打撃部２０であってもよい。
例えば、コイン１の列毎に、排水部１０ａをねじり、保持板１９の保持される位置では、コイン１が立つようにする。
打撃部２０が、コイン１の外周面を打撃することで、コイン１の表面および裏面から脱水することが容易となる。
【００３７】
また、この実施の形態では、底板１０に１個だけ取り付けられた振動子５について説明したが、勿論このものに限らず、例えば、底板１０に取り付けられた複数の振動子５であってもよく、また、天板１１に取り付けられた振動子５であってもよい。また、底板１０および天板１１の両方に取り付けられた振動子５であってもよい。
振動子５が底板１０および天板１１の両方に取り付けられた場合、コイン１の表裏両面が均一に洗浄されやすくなる。このものの場合、さらに、例えば、天板１１へは洗浄部３の上流側に振動子５を取り付け、底板１０へは天板１１に取り付けられた振動子５と対向した領域より下流側へずらして洗浄部３に振動子５を取り付けるようにしてもよい。これにより、振動の干渉を減少させることができ、効率よく振動子５を振動させることができる。
また、振動子５は、断面が円形状に限らず、例えば、断面が環形状または矩形状などであってもよい。
また、振動子５は、ランジュバン型に限らず、振動面１３に対して平行した方向に振動するベンディング型であってもよい。
この場合、振動子５の振動面を大きくすることが容易となり、１個の振動子５で、広範囲の振動面１３を振動させることができる。また、金属体で挟持していないので、振動子５の高さを低くすることができ、洗浄装置を小型化および軽量化することができる。
【００３８】
また、この実施の形態では、天板１１に取り付けられた給水管４について説明したが、底板１０または側板１２に取り付けられた給水管４であってもよい。また、複数箇所に取り付けられた給水管４であってもよい。さらには、ホッパ６に取り付けられた給水管４であってもよい。
例えば、案内レール１７で区切られたコイン１の列毎に、給水管４を取り付けてもよい。この場合、コイン１の列毎に、水が供給されるので、コイン１を十分浸漬させることができる。
【００３９】
また、この実施の形態では、ワイヤ形状の案内レール１７について説明したが、板形状の案内レール１７であってもよい。ただし、板形状の案内レール１７の場合、コイン１の列毎に給水管４がない場合には、全てのコイン１の列に水が廻るように、水が通る開口部が形成される必要がある。また、振動面１３の振動を阻害しないように、振動面１３に案内レール１７を固着しない方が望ましい。例えば、天板１１またはホッパ６で案内レール１７を支持するようにする方がよい。
【００４０】
また、底板１０、天板１１および側板１２を有し、矩形路の洗浄路２が形成された洗浄部３について説明したが、天板１１を有しない洗浄部３であってもよい。
この場合、洗浄路２を流下する水がコイン１を浸漬するように、給水管４から水を洗浄路２に供給することが望ましいが、コイン１が完全に浸漬されなくても、コイン１のうち、少なくとも、水に浸漬された領域だけは洗浄することができる。
【００４１】
また、衝突板７ａは、衝撃吸収可能な材料から構成されてもよい。
これにより、コイン１との衝突力が減少するものの、コイン１が衝突したときに発生する衝突音を抑制し、洗浄装置の静音化を図ることができる。
また、衝突板７ａとの衝突によってコイン１の速度が減速するので、コイン１を排出管８へ導きやすくなり、コイン１が、脱水部筐体７、または、中底体２８等と衝突することによる、コイン１、脱水部筐体７および中底体２８の磨耗を軽減させることができる。
【００４２】
また、この実施の形態では、網形状に形成された排水部１０ａについて説明したが、勿論このものに限らず、コイン１を支持するとともに、水が落下することができるものであればよい。
例えば、スリット状の開口部が形成された排水部１０ａとした場合、この開口部より小さい異物は、排水部１０ａから落下せることができ、コイン１を支持するとともに、コイン１と異物とを選別することができる。
なお、排水部１０ａを有さない底板１０であってもよい。この場合、底板１０の下端部で保持板１９に保持されたコイン１を打撃部２０によって打撃したときに、同時に周囲へ飛散する水の再付着などにより脱水性能が低下するものの、洗浄路２におけるコイン１の洗浄性能を低下させるものではない。
【００４３】
また、この実施の形態では、供給ローラモータ１６を用いて、供給ローラ１４を回転させ、打撃駆動モータ２６を用いて、打撃駆動ギヤ２４を回転させた洗浄装置について説明したが、ギヤおよびベルトを用いて、１つのモータと、供給ローラ１４および打撃駆動ギヤ２４とを連結して、１つのモータを駆動させて、供給ローラ１４および打撃駆動ギヤ２４を回転させてもよい。
これにより、モータの数を減らすことができ、洗浄装置の構成を簡単にすることができる。
【００４４】
実施の形態２．
図３はこの実施の形態に係る洗浄装置の要部を示す側面図である。
この実施の形態に係る洗浄装置は、洗浄路２の下端部の下方に、保持板１９によって保持された最下段のコイン１を、保持板１９から排出する排出手段が設けられている。
排出手段は、回転体回転軸２９を中心に回転可能であって、回転することで、保持板１９によって保持された最下段のコイン１に衝突して、保持板１９からコイン１を押し出す棒形状の回転体３０を有している。
回転体３０は、回転することで、先端部が、保持板１９によって保持された最下段のコイン１に接触する。
回転体回転軸２９には、モータ（図示せず）が連結されており、このモータの駆動により、回転体回転軸２９が回転して、回転体３０が連動して回転する。
回転体回転軸２９およびモータは、脱水部筐体７に支持されている。
なお、回転体回転軸２９およびモータは、脱水部筐体７に限らず、その他の部材に支持されてもよい。
回転体３０は、先端部が、保持板１９に保持された最下段のコイン１に底板１０側から接近する方向に、つまり、図３に示す矢印Ｃの方向に回転する。
底板１０および保持板１９には、回転体３０の先端部が通過可能なスリット（図示せず）が形成されている。
これにより、回転体回転軸２９が回転することで、回転体３０は、スリットを通過して、保持板１９に保持された最下段のコイン１を、保持板１９から押し出す。
また、回転体３０の回転速度を調節することで、コイン１が保持板１９から排出されるタイミングを調節することができる。
洗浄路２を流下した水は、排水部１０ａから下方に落下して、排水管９に導かれる。
その他の構成は、実施の形態１と同様である。
なお、この実施の形態に係る洗浄装置は、脱水装置を別途設けて用いるか、または、脱水装置が不要である場合に用いることが望ましい。
【００４５】
この実施の形態に係る洗浄装置によれば、回転体３０が回転することで、保持板１９の保持されたコイン１が保持板１９から押し出されるので、実施の形態１に記載の洗浄装置のように、コイン１の保持板１９からの排出と同時に脱水することはできないものの、実施の形態１に係る洗浄装置と比較して、簡単な構成で、保持板１９からコイン１を排出することができる。
【００４６】
なお、この実施の形態では、モータに連結された回転体回転軸２９について説明したが、勿論このものに限らず、例えば、ギヤおよびベルトを用いて、供給ローラモータ１６に連結された回転体回転軸２９であってもよい。
これにより、モータの数を減らすことができ、洗浄装置の構成を簡単にすることができる。
【００４７】
実施の形態３．
図４はこの実施の形態に係る洗浄装置の要部を示す側面図である。
この実施の形態に係る洗浄装置は、洗浄路２の下流側に、洗浄路２を降下するコイン１を保持して、所定の時間毎にコイン１を排出する保持排出手段をさらに備えている。
保持排出手段は、洗浄路２の下流側であって、底板１０の上面側に設けられた円筒形状の第１の排出ローラ３１と、この第１の排出ローラ３１に、排出ローラ回転軸３２を介して連結されたモータ（図示せず）とを有している。
モータが駆動することによって、第１の排出ローラ３１は、第１の排出ローラ３１に接触されたコイン１が下降する方向、つまり図４に示す矢印Ｄの方向に回転する。
【００４８】
また、この保持排出手段は、排出ローラ回転軸３２を介して第１の排出ローラ３１を支持した排出ローラ支持部３３と、この排出ローラ支持部３３が固定された排出ローラ支持軸３４とを有している。
排出ローラ支持軸３４は、コイル形状のスプリング（図示せず）によって、第１の排出ローラ３１が底板１０を押圧するように付勢されている。
これにより、第１の排出ローラ３１は、底板１０にコイン１がないときには底板１０に接触するか、または、底板１０に接触しなくともコイン１の厚みよりも底板１０に近接し、底板１０にコイン１があるときは、底板１０とともにコイン１を挟持する。
第１の排出ローラ３１と底板１０とに挟持されたコイン１は、第１の排出ローラ３１が回転することにより、第１の排出ローラ３１の回転速度と同期して、洗浄路２から排出される。
その他の構成は、実施の形態１と同様である。
【００４９】
この実施の形態に係る洗浄装置によれば、洗浄路２の下流側に、洗浄路２を降下するコイン１を保持して、所定の時間毎に排出する保持排出手段が設けられているので、実施の形態１に記載の洗浄装置のようにコイン１の保持板１９からの排出と同時にコイン１を脱水することはできないものの、洗浄路２におけるコイン１の滞留時間を調節することができる。
これにより、洗浄装置を大きくすることなく、コイン１の洗浄時間を長くすることができる。
なお、この実施の形態に係る洗浄装置は、脱水装置を別途設けて用いるか、または、脱水する装置が不要である場合に用いることが望ましい。
また、洗浄路２の最下段にあるコイン１が第１の排出ローラ３１によって一旦保持され、複数のコイン１を連接させ、洗浄路２内へのコイン１の収納密度を高くして、コイン１を洗浄するので、洗浄装置を大きくすることなく、コイン１を洗浄することができる。
【００５０】
また、第１の排出ローラ３１が底板１０とともにコイン１を挟持して、接触したコイン１が下降する方向に第１の排出ローラ３１が回転して、所定の時間毎にコイン１を排出するので、実施の形態１に記載の洗浄装置と比較して、保持板１９および打撃部２０を省くことができる。
また、実施の形態１に記載のように、打撃部２０により確実に打撃する必要はなく、コイン１を一列に並べる必要がないので、案内レール１７を設ける必要がなく、構成を簡単にすることができる。
【００５１】
なお、この実施の形態では、モータにより回転する第１の排出ローラ３１について説明したが、ギヤおよびベルトを用いて、１つのモータと、実施の形態１に記載の供給ローラ１４および第１の排出ローラ３１とを連結して、１つのモータを駆動させることで、供給ローラ１４および第１の排出ローラ３１を回転させてもよい。
【００５２】
また、この実施の形態では、排出ローラ支持部３３および排出ローラ支持軸３４を備えた保持排出手段について説明したが、勿論このものに限らず、排出ローラ支持部３３および排出ローラ支持軸３４を備えず、外周部が、弾性を有する材料から構成された第１の排出ローラ３１を備え、この第１の排出ローラ３１が弾性変形しながらコイン１を押圧して、底板１０とともにコイン１を挟持する保持排出手段であってもよい。
これにより、保持排出手段の構成を簡単にすることができる。
また、第１の排出ローラ３１の外周部は、水を吸収可能な材料から構成され、さらに、この第１の排出ローラ３１には、後述する実施の形態４に記載の絞りローラ３７を設けてもよい。
このものの場合、第１の排出ローラ３１と接触するコイン１の面からの吸水により、コイン１を脱水する効果が得られる。
【００５３】
実施の形態４．
図５はこの実施の形態に係る洗浄装置の要部を示す側面図である。
この実施の形態に係る洗浄装置は、洗浄路２の下流側に、洗浄路２を降下するコイン１を保持して、所定の時間毎にコイン１を排出する保持排出手段をさらに備えている。
この保持排出手段は、洗浄路２の下流側であって、底板１０の上面側に設けられた第１の排出ローラ３１と、洗浄路２の下流側であって、底板１０の下面側に設けられた第２の排出ローラ３５と、第１の排出ローラ３１に、排出ローラ回転軸３２を介して連結されたモータ（図示せず）とを有している。
第１の排出ローラ３１および第２の排出ローラ３５は、互いに外周面が対向するとともに、両外周面が、洗浄路２を下降したコイン１を押圧して挟持するように配置されている。
【００５４】
第１の排出ローラ３１は、モータの駆動によって、第１の排出ローラ３１に接触されたコイン１が下降する方向、つまり図５に示す矢印Ｅの方向に回転する。
第２の排出ローラ３５は、排出ローラ回転軸３６に回転自在に支持されており、第１の排出ローラ３１に接触されたコイン１の下降に伴って、第２の排出ローラ３５に接触されたコイン１が下降する方向、つまり図５に示す矢印Ｆの方向に受動回転する。
第１の排出ローラ３１および第２の排出ローラ３５に挟持されたコイン１は、第１の排出ローラ３１が回転することにより、第１の排出ローラ３１の回転速度を同期して、洗浄路２から排出される。
【００５５】
第１の排出ローラ３１および第２の排出ローラ３５は、外周部が、弾性を有するとともに水を吸収可能な材料である、例えば、多孔性のスポンジから構成されている。
第１の排出ローラ３１は、第２の排出ローラ３５とともにコイン１を挟持することで、コイン１と接触する外周部の領域が原形状３１ａから薄肉形状３１ｂに変形する。
第２の排出ローラ３５は、第１の排出ローラ３１と同様にして、第１の排出ローラ３１とともにコイン１を挟持することで、コイン１と接触する外周部の領域が原形状３５ａから薄肉形状３５ｂに変形する。
薄肉形状３１ｂに変形した第１の排出ローラ３１の外周部の領域は、第１の排出ローラ３１が回転することで、原形状３１ａに戻りながら、コイン１から水を吸収する。
薄肉形状３５ｂに変形した第２の排出ローラ３５の外周部の領域は、第２の排出ローラ３５が受動回転することで、原形状３５ａに戻りながら、コイン１から水を吸収する。
【００５６】
第１の排出ローラ３１には、第１の排出ローラ３１の外周部に接触した円柱形状の絞りローラ３７が取り付けられている。
絞りローラ３７は、第１の排出ローラ３１の回転に伴って、第１の排出ローラ３１を押圧しながら受動回転する。
絞りローラ３７が、第１の排出ローラ３１の回転に伴って、受動回転することにより、第１の排出ローラ３１の回転を容易にすることができ、また、第１の排出ローラ３１の劣化を抑制することができる。
絞りローラ３７が第１の排出ローラ３１を押圧することで、第１の排出ローラ３１の外周部が、原形状３１ａから薄肉形状３１ｃに変形し、コイン１から吸収した水が第１の排出ローラ３１から絞り出される。
第２の排出ローラ３５には、第２の排出ローラ３５の外周部に接触した円柱形状の絞りローラ３８が取り付けられている。
絞りローラ３８は、第２の排出ローラ３５の回転に伴って、第２の排出ローラ３５を押圧しながら受動回転する。
絞りローラ３８が、第２の排出ローラ３５の回転に伴って、受動回転することにより、第２の排出ローラ３５の回転を容易にすることができ、また、第２の排出ローラ３５の劣化を抑制することができる。
絞りローラ３８が第２の排出ローラ３５を押圧することで、第２の排出ローラ３５の外周部が、原形状３５ａから薄肉形状３５ｃに変形し、コイン１から吸収した水が第２の排出ローラ３５から絞り出される。
【００５７】
脱水部筐体７には、第１の排出ローラ３１に取り付けられた絞りローラ３７の下方に、絞りローラ３７によって第１の排出ローラ３１から絞り出された水が、脱水されたコイン１に再付着することを防止する導水板３９が取り付けられている。
また、脱水部筐体７には、第２の排出ローラ３５の上方に、洗浄路２を流下した水を排水管９へ導いて、洗浄路２から排出された水が第２の排出ローラ３５に付着することを防止する導水板４０が取り付けられている。
【００５８】
第１の排出ローラ３１および第２の排出ローラ３５によって脱水されたコイン１は、乾燥装置（図示せず）へ送られて、乾燥される。
なお、第１の排出ローラ３１および第２の排出ローラ３５による脱水のみで十分である場合いは、乾燥装置を備えなくてもよい。
その他の構成は、実施の形態３と同様である。
【００５９】
この実施の形態に係る洗浄装置によれば、第１の排出ローラ３１と第２の排出ローラ３５がコイン１を挟持し、接触したコイン１が下降する方向に第１の排出ローラ３１が回転して、所定の時間毎にコイン１を排出するので、実施の形態１に記載の洗浄装置を比較して、保持板１９および打撃部２０を省くことができる。
【００６０】
また、第１の排出ローラ３１および第２の排出ローラ３５が、外周部が、弾性を有するので、実施の形態３に記載の洗浄装置と比較して、排出ローラ支持部３３および排出ローラ支持軸３４を省くことができる。
また、第１の排出ローラ３１および第２の排出ローラ３５が、外周部が、水を吸収可能な材料から構成されているので、第１の排出ローラ３１および第２の排出ローラ３５がコイン１と接触するときに、コイン１の両面を脱水することができる。
【００６１】
なお、この実施の形態では、第１の排出ローラ３１の排出ローラ回転軸３２にモータを連結させた洗浄装置について説明したが、勿論このものに限らず、例えば、第２の排出ローラ３５の排出ローラ回転軸３６にモータを連結させた洗浄装置であってもよく、また、第１の排出ローラ３１の排出ローラ回転軸３２および第２の排出ローラ３５の排出ローラ回転軸３６の両方にモータを連結させた洗浄装置であってもよい。
また、この実施の形態では、第１の排出ローラ３１をモータの駆動により回転させる洗浄装置について説明したが、第２の排出ローラ３５、絞りローラ３７および絞りローラ３８の何れかをモータの駆動により回転させたり、または、それぞれを別々のモータの駆動によって回転させたりしてもよい。
【００６２】
実施の形態５．
図６はこの実施の形態に係る洗浄装置の要部を示す側面図である。
この実施の形態に係る洗浄装置は、洗浄路２の下流側に、洗浄路２を降下したコイン１と接触して、コイン１に付着した水を吸収する洗浄液吸収体をさらに備えている。
この洗浄液吸収体は、底板１０の上面側に設けられた第１の吸水ローラ４１と、底板１０の下面側に設けられた第２の吸水ローラ４２とを備えている。
なお、洗浄液吸収体は、第１の吸水ローラ４１および第２の吸水ローラ４２に限らず、コイン１に接触して、コイン１に付着した水を吸収することができるものであればよい。
第１の吸水ローラ４１および第２の吸水ローラ４２は、互いに外周面が対向するとともに、両外周面が、洗浄路２を降下したコイン１の両面と接触するように配置されている。
【００６３】
第１の吸水ローラ４１には、吸水ローラ回転軸４３を介してモータ（図示せず）が連結されており、このモータの駆動により、第１の吸水ローラ４１は、吸水ローラ回転軸４３を中心に、第１の吸水ローラ４１に接触されたコイン１が下降する方向、つまり図６に示す矢印Ｇの方向に回転する。
第２の吸水ローラ４２は、吸水ローラ回転軸４４を中心に、第２の吸水ローラ４２に接触されたコイン１が下降する方向、つまり図６に示す矢印Ｈの方向に受動回転する。
第１の吸水ローラ４１および第２の吸水ローラ４２は、コイン１に接触するのみで、コイン１を挟持していない。
なお、第１の吸水ローラ４１および第２の吸水ローラ４２は、両外周面が、洗浄路２を下降したコイン１の両面を押圧して挟持するように配置されてもよい。
第１の吸水ローラ４１および第２の吸水ローラ４２は、外周部が、弾性を有するとともに水を吸収可能な材料である、例えば、多孔性のスポンジから構成されている。
洗浄路２を降下するコイン１は、第１の吸水ローラ４１および第２の吸水ローラ４２に接触されることで吸水される。
【００６４】
第１の吸水ローラ４１には、第１の吸水ローラ４１の外周部に接触した円柱形状の絞りローラ４５が取り付けられている。
絞りローラ４５は、第１の吸水ローラ４１の回転に伴って、第１の吸水ローラ４１を押圧しながら受動回転する。
絞りローラ４５が第１の吸水ローラ４１を押圧することで、コイン１から吸収した水が第１の吸水ローラ４１から絞り出される。
第２の吸水ローラ４２には、第２の吸水ローラ４２の外周部に接触した円柱形状の絞りローラ４６が取り付けられている。
絞りローラ４６は、第２の吸水ローラ４２の回転に伴って、第２の吸水ローラ４２を押圧しながら受動回転する。
絞りローラ４６が第２の吸水ローラ４２を押圧することで、コイン１から吸収した水が第２の吸水ローラ４２から絞り出される。
【００６５】
脱水部筐体７には、第１の吸水ローラ４１に取り付けられた絞りローラ４５の下方に、絞りローラ４５によって第１の吸水ローラ４１から絞り出された水が、脱水されたコイン１に再付着することを防止する導水板４７が取り付けられている。
脱水部筐体７には、導水板４７を流下する水を排水管９へ導く排水溝７ｂが形成されている。
また、脱水部筐体７には、第２の吸水ローラ４２の上方に、洗浄路２を流下した水を排水管９へ導いて、洗浄路２から排出された水が第２の吸水ローラ４２に付着することを防止する導水板４８が取り付けられている。
【００６６】
また、この実施の形態に係る洗浄装置は、洗浄路２の下流側であって、第１の吸水ローラ４１および第２の吸水ローラ４２より下流の洗浄部３に取り付けられた加熱コイル４９をさらに備えている。
加熱コイル４９は、洗浄路２を下降するコイン１の移動方向への磁束線が発生するように、洗浄部３の外周に配置されている。
加熱コイル４９が取り付けられる底板１０の領域は、電磁誘導加熱されない樹脂等から構成され、加熱コイル４９の外側には、フェライトコア（図示せず）が取り付けられている。
これにより、加熱コイル４９の内部でのコイン１の加熱を向上させることができる。
コイン１は、電磁誘導加熱が可能な材料から構成されており、加熱コイル４９を通過するときに、加熱コイル４９から発生した高周波磁界によって、電磁誘導加熱されて、乾燥する。
【００６７】
底板１０の下端部には、実施の形態１に記載の洗浄装置と同様にして、洗浄路２を下降したコイン１を保持する保持板１９が取り付けられている。
洗浄路２の下端部の下方には、実施の形態２に記載の洗浄装置と同様にして、回転体回転軸２９を中心に回転可能であって、回転することで、保持板１９によって保持された最下段のコイン１に衝突して、保持板１９からコイン１を押し出す棒形状の回転体３０が設けられている。
回転体回転軸２９には、モータ（図示せず）が連結されており、このモータの駆動により、回転体回転軸２９が回転して、回転体３０が連動して回転する。
回転体回転軸２９およびモータは、脱水部筐体７に支持されている。
なお、回転体回転軸２９およびモータは、脱水部筐体７に限らず、その他の部材に支持されてもよい。
回転体３０は、先端部が、保持板１９に保持された最下段のコイン１に底板１０側から接近する方向に回転する。
底板１０および保持板１９には、回転体３０の先端部が通過可能なスリット（図示せず）が形成されている。
これにより、回転体回転軸２９が回転することで、回転体３０は、スリットを通過して、保持板１９に保持された最下段のコイン１を、保持板１９から押し出す。
その他の構成は、実施の形態４と同様である。
【００６８】
この実施の形態に係る洗浄装置によれば、加熱コイル４９がコイン１を電磁誘導加熱するので、洗浄されたコイン１を乾燥させることができる。
【００６９】
また、洗浄路２の下流側であって、加熱コイル４９より上流に、コイン１に付着した水を吸収する、第１の吸水ローラ４１および第２の吸水ローラ４２を備えているので、コイン１の搬送手段を備えることなく、コイン１の、洗浄、脱水および乾燥を行うことができる。
【００７０】
なお、この実施の形態では、保持板１９および回転体３０を備えた洗浄装置について説明したが、保持板１９および回転体３０の換わりに、実施の形態３に記載の第１の排出ローラ３１を備えた洗浄装置、または、脱水する必要はないが、実施の形態４に記載の第１の排出ローラ３１および第２の排出ローラ３５を備えた洗浄装置であってもよい。
【００７１】
また、この実施の形態では、回転体３０を備えた洗浄装置について説明したが、回転体３０の換わりに、コイン１を排出する機構として、実施の形態１に記載の打撃部２０を備えた洗浄装置であってもよい。
このものの場合、実施の形態１に記載の洗浄装置のように打撃によってコイン１を脱水する必要はないので、コイン１を弱く打撃するだけでよい。
【００７２】
また、加熱コイル４９の内側にある底板１０の上面側には、底板１０からコイン１を離間させる複数本のレールを設けてもよい。
さらには、加熱コイル４９の内側に底板１０を設け、加熱コイル４９の内側を底板１０と兼用してもよい。
なお、加熱コイル４９内では、レールおよび底板１０は、電磁誘導加熱されない材質（例えば、樹脂製）であり、かつ、フェライトコア等の磁束線を通過させる材質ではないことが望ましい。これにより、エネルギーの無駄が少なく、効率よくコイン１を加熱して乾燥することができる。
【００７３】
また、この実施の形態では、洗浄路２を下降するコイン１の移動方向への磁束線が発生するように、洗浄部３の外周に配置された加熱コイル４９について説明したが、洗浄路２を下降するコイン１の移動方向に直交する磁束線が発生するように、底板１０に面して取り付けられた平板形状の加熱コイル４９であってもよい。
この場合、加熱コイル４９の反底板１０側に、フェライトコアを配置することが望ましい。これにより、加熱コイル４９の反底板１０側への漏れ磁束を減少させ、エネルギーの無駄が少なく、効率よくコイン１を加熱して乾燥することができる。
また、この実施の形態では、第１の吸水ローラ４１をモータの駆動によって回転させる洗浄装置について説明したが、第２の吸水ローラ４２、絞りローラ４５および絞りローラ４６の何れかを、モータの駆動によって回転させたり、または、それぞれを別々のモータの駆動によって回転させたりしてもよい。
また、第１の吸水ローラ４１、第２の吸水ローラ４２、絞りローラ４５および絞りローラ４６は、モータの駆動によって回転されなくてもよく、第１の吸水ローラ４１および第２の吸水ローラ４２の弾性率および変形度合いを調節することで、第１の吸水ローラ４１と第２の吸水ローラ４２とからコイン１が押圧される押圧力を適度に調節し、洗浄路２内に互いに接触して配置された複数のコイン１の自重によって、第１の吸水ローラ４１と第２の吸水ローラ４２との間をコイン１が押圧されながら降下するようにしてもよい。
これにより、第１の吸水ローラ４１、第２の吸水ローラ４２、絞りローラ４５および絞りローラ４６を回転させるモータが不要となり、洗浄装置を簡略化することができる。
【００７４】
実施の形態６．
図７はこの実施の形態に係る洗浄装置の要部を示す正面図である。
この実施の形態に係る洗浄装置の供給ローラ１４は、外周面に、周方向に沿った３本の凹部１４ａが形成されている。
この凹部１４ａは、被洗浄物であるパチンコ玉５０の表面の形状に合わせて半円弧形状に形成されており、パチンコ玉５０は、この凹部１４ａと底板１０との間を通過することができる。
その他の構成は、実施の形態１と同様である。
【００７５】
この実施の形態に係る洗浄装置によれば、供給口２ａから洗浄路２へパチンコ玉５０が整列されて、確実に、パチンコ玉５０を洗浄路２に供給することができる。
【００７６】
なお、この実施の形態では、パチンコ玉５０の表面の形状に合わせて半円弧形状に形成された凹部１４ａについて説明したが、勿論このものに限らず、凹部１４ａと底板１０との間をパチンコ玉５０が通過可能であれば、その他の形状の凹部１４ａであってもよく、例えば、製造が容易となる矩形形状に形成された凹部１４ａであってもよい。
また、この実施の形態では、被洗浄物としてパチンコ玉３を例に説明したが、勿論このものに限らず、供給口２ａを通過して洗浄路２を降下するものであれば、コイン１等、その他の形状の被洗浄物であってもよい。
また、この実施の形態では、凹部１４ａが形成された供給ローラ１４ａを備えた洗浄装置について説明したが、勿論このものに限らず、例えば、それぞれに凹部が形成された、第１の排出ローラ３１、第２の排出ローラ３５、第１の吸水ローラ４１または第２の吸水ローラ４２を備えた洗浄装置であってもよい。
このものの場合、凹部の形状を、被洗浄物の形状より小さく形成し、この凹部が形成された、第１の排出ローラ３１、第２の排出ローラ３５、第１の吸水ローラ４１または第２の吸水ローラ４２を弾性から構成してもよい。
これにより、第１の排出ローラ３１、第２の排出ローラ３５、第１の吸水ローラ４１または第２の吸水ローラ４２は、被洗浄物が平板形状のコイン１の場合と同様に、被洗浄物を保持したり、被洗浄物から吸水したりする機能を果たすことができる。
【符号の説明】
【００７７】
１  コイン（被洗浄物）、２  洗浄路、２ａ  供給口、３  洗浄部、４  給水管（洗浄水供給手段）、５  振動子、６  ホッパ（被洗浄物収容体）、７  脱水部筐体、７ａ  衝突板、７ｂ  排水溝、８  排出管、９  排水管、１０  底板、１０ａ  排水部、１１  天板、１２  側板、１３  振動面、１４  供給ローラ、１４ａ  凹部、１５  供給ローラ回転軸、１６  供給ローラモータ、１７  案内レール、１８  水面、１９  保持板（保持手段）、２０  打撃部、２１  打撃用スプリング、２２  打撃用スプリング固定部、２３  反動スプリング、２４  打撃駆動ギヤ、２４ａ  平面部、２５  打撃駆動軸、２６  打撃駆動モータ、２７  打撃部ギヤ、２８  中底体、２９  回転体回転軸、３０  回転体、３１  第１の排出ローラ、３１ａ  原形状、３１ｂ  薄肉形状、３１ｃ  薄肉形状、３２  排出ローラ回転軸、３３  排出ローラ支持部、３４  排出ローラ支持軸、３５  第２の排出ローラ、３５ａ  原形状、３５ｂ  薄肉形状、３５ｃ  薄肉形状、３６  排出ローラ回転軸、３７  絞りローラ、３８  絞りローラ、３９  導水板、４０  導水板、４１  第１の吸水ローラ、４２  第２の吸水ローラ、４３  吸水ローラ回転軸、４４  吸水ローラ回転軸、４５  絞りローラ、４６  絞りローラ、４７  導水板、４８  導水板、４９  加熱コイル、５０  パチンコ玉。
【図１】
2010259979.tif 000003
【図２】
2010259979.tif 000004
【図３】
2010259979.tif 000005
【図４】
2010259979.tif 000006
【図５】
2010259979.tif 000007
【図６】
2010259979.tif 000008
【図７】
2010259979.tif 000009